(57)【要約】   【課題】飲食落下物を確実に捕集し、衣服や床などの汚染を防止するテーブル・ナプキン支持具を提供する。  【解決手段】テーブル・ナプキン支持具１０は、円錐体で現される飲食落下物の散布範囲を越える外周１３を有してテーブル・ナプキン１を載置する載置手段１１と、着用者６の口下にあってその散布範囲の上部に載置手段１１を係着する係着手段１２とから成り、載置手段１１は、上方中央に凹んだ形状の首当て１４を有して背筋角度垂直姿勢で座した着用者６の胸等に沿った形状に形成した胸当て部１５と、胸当て部１５を下方へ延長しその延長した先を上方に円弧状に曲げ起こして形成した受け台部１６とを備えて、飲食落下物を確実に捕集することにより、衣服や床などの汚染の防止を図る。【選択図】    図３
2009100908.tif 000002
【特許請求の範囲】
【請求項１】
飲食落下物の散布範囲を越える外周を有してテーブル・ナプキンを載置する載置手段と、着用者の口下にあって前記散布範囲の上部に前記載置手段を係着する係着手段とから構成されるテーブル・ナプキン支持具であって、
前記載置手段は、上方中央に凹んだ形状の首当てを有して背筋角度垂直姿勢で座した着用者の胸等に沿った形状に形成した胸当てと、前記胸当てを下方へ延長しその延長した先を上方に円弧状に曲げ起こして形成した受け台とから成ることを特徴とするテーブル・ナプキン支持具。
【請求項２】
口から落下する飲食物が描く軌跡から錐体形状と定めた当該飲食落下物の散布範囲を越えている外周を有してテーブル・ナプキンを載置する載置手段と、着用者口下の前記散布範囲の上部に前記載置手段を係着する係着手段とから構成し、
前記載置手段は、背筋角度垂直姿勢または背筋角度略３０度傾斜姿勢で座した着用者の胸等の形状に倣って形成した胸当てと、前記錐体形状の底面形状に倣って形成した受け台とを備えることを特徴とするテーブル・ナプキン支持具。
【請求項３】
着用者の飲食落下物を捕集するテーブル・ナプキンを載せる載置手段と、着用者に前記載置手段を保持する保持手段とを備え、
前記載置手段を身体に当て前記保持手段を首に付けて、前記載置手段を、着用者の口下の胸前方に略水平な角度または水平に対して略１５度の下向き角度で展開するよう、前記保持手段で保持して、前記載置手段に載せた前記ナプキンを前記角度で支えることを特徴とするテーブル・ナプキン支持具。
【請求項４】
着用者の飲食落下物を捕集するテーブル・ナプキンを載せる載置手段と、着用者に前記載置手段を保持する保持手段とを備え、
前記載置手段を身体に当て前記保持手段を首に付けて、前記載置手段を、着用者の口下の胸前方に水平に対して略３０度の下向き角度で展開するよう、前記保持手段で保持して、前記載置手段に載せた前記ナプキンを前記角度で支えることを特徴とするテーブル・ナプキン支持具。  
【請求項５】
前記載置手段が液体非浸透部材から成ることを特徴とする請求項１から請求項４のいずれかに記載のテーブル・ナプキン支持具。
【請求項６】
前記飲食落下物を確実に捕集するよう、着用者に前記載置手段を装着する角度を調節する角度調節手段を備えることを特徴とする請求項１から請求項４のいずれかに記載のテーブル・ナプキン支持具。
【発明の詳細な説明】
【技術分野】
【０００１】
本発明は、食事の際に衣服などの汚れを防ぐために用いられるテーブル・ナプキン支持具に関する。
【背景技術】
【０００２】
従来のナプキン支持具として、ナプキン類等を保持し食事時等に衣類を汚染から防ぐ衣類の汚れ防止用ホルダーがある（例えば、特許文献１参照）。
図２４は、従来の衣類の汚れ防止用ホルダーの使用例の斜視図である。この衣類の汚れ防止用ホルダーでは、汚れ防止の役目をはたすことができるナプキン１などを把持し得る把持具２を、取り外し交換ができる接続具４が接続された連結具３の両端に取り付けて構成されていて、ナプキン１などを適正位置で保持使用することができる。
【特許文献１】登録実用新案第３１０３７５１号公報
【発明の開示】
【発明が解決しようとする課題】
【０００３】
上記の衣類の汚れ防止用ホルダーでは、ナプキンを適正位置で保持することにより、その下に覆われている衣服の汚れを防止することはできる。    
しかし、市販のナプキンを用いて適正位置に保持しても、胸腹膝のすべてを覆うことができない場合があり、その覆われていない部分の衣服などを汚染する。
また、ナプキンで飲食落下物を捕集し切れない場合もあり、飲食落下物が更に落ちて床などを汚染することもあり、飲食落下物の捕集に確実性を欠くという問題がある。
また、ナプキンが布製や紙製の場合、液状の落下物がナプキンを浸透し、その下の衣服を汚すという問題もある。
【０００４】
本発明は、上記課題に鑑みてなされたものであり、飲食落下物を確実に捕集し、身体、衣服、床などの汚染を防止するテーブル・ナプキン支持具を提供することを目的としている。    
また、液状落下物の浸透汚染を防ぐことができるテーブル・ナプキン支持具を提供することを目的としている。    
【課題を解決するための手段】
【０００５】
請求項１記載の本発明のテーブル・ナプキン支持具は、飲食落下物の散布範囲を越える外周を有してテーブル・ナプキンを載置する載置手段と、着用者の口下にあって前記散布範囲の上部に前記載置手段を係着する係着手段とから構成されるテーブル・ナプキン支持具であって、前記載置手段は、上方中央に凹んだ形状の首当てを有して背筋角度垂直姿勢で座した着用者の胸等に沿った形状に形成した胸当てと、前記胸当てを下方へ延長しその延長した先を上方に円弧状に曲げ起こして形成した受け台とから成ることを特徴とする。
請求項２記載の本発明のテーブル・ナプキン支持具は、口から落下する飲食物が描く軌跡から錐体形状と定めた当該飲食落下物の散布範囲を越えている外周を有してテーブル・ナプキンを載置する載置手段と、着用者口下の前記散布範囲の上部に前記載置手段を係着する係着手段とから構成し、前記載置手段は、背筋角度垂直姿勢または背筋角度略３０度傾斜姿勢で座した着用者の胸等の形状に倣って形成した胸当てと、前記錐体形状の底面形状に倣って形成した受け台とを備えることを特徴とする。
【０００６】
請求項３記載の本発明のテーブル・ナプキン支持具は、着用者の飲食落下物を捕集するテーブル・ナプキンを載せる載置手段と、着用者に前記載置手段を保持する保持手段とを備え、前記載置手段を身体に当て前記保持手段を首に付けて、前記載置手段を、着用者の口下の胸前方に略水平な角度または水平に対して略１５度の下向き角度で展開するよう、前記保持手段で保持して、前記載置手段に載せた前記ナプキンを前記角度で支えることを特徴とする。
請求項４記載の本発明のテーブル・ナプキン支持具は、着用者の飲食落下物を捕集するテーブル・ナプキンを載せる載置手段と、着用者に前記載置手段を保持する保持手段とを備え、前記載置手段を身体に当て前記保持手段を首に付けて、前記載置手段を、着用者の口下の胸前方に水平に対して略３０度の下向き角度で展開するよう、前記保持手段で保持して、前記載置手段に載せた前記ナプキンを前記角度で支えることを特徴とする。
【０００７】
請求項５記載の本発明は、請求項１から請求項４のいずれかに記載のテーブル・ナプキン支持具において、前記載置手段が液体非浸透部材から成ることを特徴とする。
請求項６記載の本発明は、請求項１から請求項４のいずれかに記載のテーブル・ナプキン支持具において、前記飲食落下物を確実に捕集するよう、着用者に前記載置手段を装着する角度を調節する角度調節手段を備えることを特徴とする。
【発明の効果】
【０００８】
本発明によれば、大きく拡がり落ちる前に飲食落下物をテーブル・ナプキンで確実に捕集することができ、より小さい面積でより広い範囲に亘り、衣服や床などの汚染を防止する。
また、テーブル・ナプキン支持具を液体が浸透しない合成樹脂などのような液体非浸透部材とすることにより、液状落下物の浸透汚染防止が可能となる。さらに、支持具を重ね置き可能な形状とすれば、保管場所が狭くて済む利点がある。
また、飲食落下物を確実に捕集する位置にナプキンを支えて、飲食落下物による衣類の汚れや床の汚れなどの防止が図られる。
また、ナプキンの交換により洗濯の手間が省けるとともに、被介護者などの気分を明るくすることができる。
【発明を実施するための最良の形態】
【０００９】
本発明の第１の実施の形態によるテーブル・ナプキン支持具は、飲食落下物の散布範囲を越える外周を有してテーブル・ナプキンを載置する載置手段と、着用者の口下にあって散布範囲の上部に載置手段を係着する係着手段とから構成されるテーブル・ナプキン支持具であって、載置手段は、上方中央に凹んだ形状の首当てを有して背筋角度垂直姿勢で座した着用者の胸等に沿った形状に形成した胸当てと、胸当てを下方へ延長しその延長した先を上方に円弧状に曲げ起こして形成した受け台とから成るものである。
本実施の形態によれば、テーブル・ナプキンが載置手段の外周に沿って飲食落下物の散布範囲を越えて広げられ、且つ口下の近傍に置かれることになり、飲食落下物が広く散布する前にその飲食落下物を捕集することができる。これにより小さい面積のナプキンで飲食落下物を確実に捕集し、より広い範囲の汚染防止ができる。
本発明の第２の実施の形態によるテーブル・ナプキン支持具は、口から落下する飲食物が描く軌跡から錐体形状と定めた当該飲食落下物の散布範囲を越えている外周を有してテーブル・ナプキンを載置する載置手段と、着用者口下のその散布範囲の上部に載置手段を係着する係着手段とから構成し、載置手段は、背筋角度垂直姿勢または背筋角度略３０度傾斜姿勢で座した着用者の胸等の形状に倣って形成した胸当てと、錐体形状の底面形状に倣って形成した受け台とを備えるものである。
本実施の形態によれば、飲食落下物の散布範囲を錐体形状と定め載置手段の形状や寸法を決めることにより、載置手段上の飲食落下物を確実に捕集できる位置にナプキンを広げることが可能になる。
また、背筋角度略３０度傾斜姿勢の胸等の形状に倣って形成したテーブル・ナプキン支持具であれば、被介護者や乳幼児等にも用いることができる。加えて、載置手段の全体位置が、背筋角度垂直姿勢に比べて着用者の口により近づくので、載置手段が小型化され、広げるナプキンはより小さい面積で済むことになる。    
【００１０】
本発明の第３の実施の形態によるテーブル・ナプキン支持具は、着用者の飲食落下物を捕集するテーブル・ナプキンを載せる載置手段と、着用者に載置手段を保持する保持手段とを備え、載置手段を身体に当て保持手段を首に付けて、載置手段を、着用者の口下の胸前方に略水平な角度または水平に対して略１５度の下向き角度で展開するよう、保持手段で保持して、載置手段に載せたナプキンをその角度で支えるものである。
本実施の形態によれば、ナプキンを口下の近傍に支えることが可能になり、ナプキンによる飲食落下物の捕集が確実に行われるので、衣類の汚れを防止するとともに、床などの汚れを防止することができる。
本発明の第４の実施の形態によるテーブル・ナプキン支持具は、着用者の飲食落下物を捕集するテーブル・ナプキンを載せる載置手段と、着用者に載置手段を保持する保持手段とを備え、載置手段を身体に当て保持手段を首に付けて、載置手段を、着用者の口下の胸前方に水平に対して略３０度の下向き角度で展開するよう、保持手段で保持して、載置手段に載せたナプキンをその角度で支えるものである。
本実施の形態によれば、着用者の起きた姿勢と寝た姿勢の両方において、飲食落下物を確実に捕集する口下に近い位置にナプキンを支えることができ、衣類の汚れを防止するとともに、床などの汚れを防止することができる。
【００１１】
本発明の第５の実施の形態は、第１から第４の実施の形態によるテーブル・ナプキン支持具において、載置手段が液体非浸透部材から成るものである。本実施の形態によれば、例えば合成樹脂の成形材などから構成すれば、液状落下物が載置手段を浸透して衣服等を汚染することが回避される。
本発明の第６の実施の形態は、第１から第４の実施の形態によるテーブル・ナプキン支持具において、飲食落下物を確実に捕集するよう、着用者に載置手段を装着する角度を調節する角度調節手段を備えるものである。本実施の形態によれば、着用者の姿勢に応じてテーブル・ナプキンを飲食落下物の散布範囲を越えて広げることが可能となり、飲食落下物を確実に捕集することが可能である。
【実施例１】
【００１２】
以下、本発明の実施例によるテーブル・ナプキン支持具について図面を参照して説明する。図１は、本発明の実施例１のテーブル・ナプキン支持具を示す斜視図であり、図２は、図１のテーブル・ナプキン支持具の装着状態を示す斜視図である。また、図３は、図２のテーブル・ナプキン支持具の着用状況を示す側面図であり、図２のＡ−Ａ矢視の側面方向から見た図である。
本実施例のテーブル・ナプキン支持具１０は、図１から図３に示すように、テーブル・ナプキン１（二点鎖線で示したもの。以下、ナプキン１）を載せる載置手段１１と、この載置手段１１を着用者６の口下の近辺に密着固定させる係着手段１２とから構成されている。なお、テーブル・ナプキンとは、食事用ナプキンと同意義である。
【００１３】
即ち、載置手段１１は、飲食時に着用者６の口から落下する飲食物（すなわち飲食落下物）の散布範囲を越えた位置に設けられた外周１３を有して構成される。この飲食落下物の散布範囲とは、飲食落下物が口から散布されるときに描く軌跡群の形状が円錐になるので、着用者６の口を頂点とし、その口から下ろした垂線に対し略３０度の斜線を回転して得られる円錐（点線で図示）の内側範囲を散布範囲であると仮定する。なお、上記円錐は口から下ろした垂線の斜線を回転して得られるので、円錐の底面は水平となる。
また、本実施例では、円錐の寸法は、図３に示すように、底面の径が略２４ｃｍ、高さが略２０ｃｍである。これらの寸法は、着用者の身体の大きさや使い勝手などから定まり、高さは８〜２８ｃｍ（参考；底面の径は９〜３２ｃｍ）が望ましい。
なお、円錐の高さが大きすぎると、散布範囲が拡がって捕集し難くなり、小さすぎると、口と載置手段との空間が狭まり食べ難くなるので、着用者の大きさや使い勝手などに応じて適正な高さ寸法にする必要がある。
【００１４】
そして、外周１３は、この円錐の側面よりやや外側の位置に形成されることを基本構成とする。なお、「やや」とは、１ｃｍ〜５ｃｍである。これ位の寸法であれば載置手段１１の小型化の点から望ましいが、５ｃｍ〜１０ｃｍの外側位置に形成する構成であっても良い。
因みに本実施例の載置手段１１では、幅２０ｃｍ〜３５ｃｍ、奥行き２０ｃｍ〜３５ｃｍの、図１に示すような丸みを帯びた略四角形の形状から成っている。この幅寸法は飲食落下物の散布範囲である底面の直径を越えた寸法である。なお、乳幼児などの子供用の載置手段は、幅９ｃｍ〜３０ｃｍ、奥行き９ｃｍ〜４０ｃｍの大きさ、大人用の載置手段は、幅２０ｃｍ〜４０ｃｍ、奥行き２０ｃｍ〜５０ｃｍの大きさが望ましい。
また、載置手段１１の外周１３（すなわち載置手段１１の縁）は、２ｃｍ〜５ｃｍ（外周の一部は８ｃｍ位）の高さで塀状に立上げた形状とする。さらに、載置手段１１の最上部中央には、下方に向かってＵ字形に凹んだ首当て１４を設ける。
【００１５】
そして、載置手段１１の上方部位に位置する胸当て１５は、図３に示すように、背中を垂直にして起きて座った姿勢（すなわち背筋角度垂直姿勢）の、着用者６の首・肩・胸（すなわち胸等）に沿った形状に形成することを基本構成とする。
また、載置手段１１の下方部位に位置する受け台１６は、図１から図３に示すように、胸当て１５を下方へ延長し、その延長した先を上方に円弧状に曲げ起こして形成することを基本構成とする。このとき、受け台１６の形状を散布範囲の円錐底面に沿った形状（すなわち水平な円錐底面に略平行な形状）とし、飲食落下物を確実に捕集するような構成とする。
なお、本実施例の載置手段１１では、図３に示すように、載置手段１１の上端Ｐから下端Ｑまでの直線距離は、約２７ｃｍであり、また、胸等の形状に倣って形成した載置手段の上端Ｐから下端Ｑまでの延べ長さは、約３５ｃｍである。なお、上端Ｐは着用者の肩最上部に、下端Ｑは飲食落下物の散布範囲を越えた位置に設けられる。
そして、載置手段１１は、穴を有する網状部材から構成される。例えば、針金材・竹材・つる材などから編んで作った籠、箕、笊などのような構成である。
【００１６】
一方、係着手段１２は、載置手段１１を着用者６の口の近辺に密着固定する、換言すれば、着用者６の口下にあって飲食落下物の散布範囲の上部に載置手段１１を係着することを基本構成とする。そして、係着手段１２は、紐状または帯状等の部材から構成される。例えば、布製の紐や伸縮性のあるゴム紐である。また係着手段１２は、マジック・テープを用いて載置手段を着用者に密着固定する構成でも良いし、ボタンとボタン穴というような組合せ構成でも良い。さらに紐を首に回わさずにフック等を首や肩に引っ掛けて載置手段を着用者に付ける構成でも良い。
【００１７】
次ぎに動作について説明する。
図２及び図３に示すように、載置手段１１の首当て１４を首に挿入して着用者６の首に当てる。そして、紐からなる係着手段１２を首の後ろで結び、載置手段１１を着用者６の口の近辺に密着固定する。この時、載置手段１１の胸当て１５は、着用者６の胸に当てられて安定する。同時に、載置手段１１の受け台１６は、着用者６の口下に受け皿のように展開する。
【００１８】
前述のように、飲食落下物の散布範囲は、円錐内に収まると考えられるので、テーブル・ナプキン支持具１０の載置手段１１の外周１３を、その散布範囲外の場所（その散布範囲を越える位置）に設けている。従って、ナプキン１を載置手段１１の外周１３に沿って（または越えて）置くことにより、ナプキン１を散布範囲の外側に亘り（すなわち散布範囲の全てを包含して）広げることができる。
すなわち、ナプキン１は飲食落下物の散布範囲を越えて広げられ、且つ口下の近傍に置かれることになり、飲食落下物が散布する前にその飲食落下物を捕集することができる。換言すれば、飲食落下物は口から離れるほど落ちる範囲が拡がるので、拡がる前の飲食落下物を捕集するために、広げたナプキンを飲食落下物の散布範囲の上部にあって口の近辺に、テーブル・ナプキン支持具で支えることを特徴とする。
【００１９】
以上のように、本実施例のテーブル・ナプキン支持具１０では、ナプキン１を口下に大きく広げて、拡がり落ちる前の飲食落下物をそのナプキン１で確実に捕集することができ、より小さい面積でより広い範囲に亘り、衣服や床などの汚染を防止することができる。
即ち、ナプキンを膝の上に置けば胸が汚れる・ナプキンで胸を覆えば膝の上に落ちて汚れることが回避される。またポケット付エプロンのポケットの口が使用中に閉じて捕まえられなかった飲食落下物で衣服や床を汚すことも防げる。
上記のより小さい面積とは次ぎの通りである。市販され使われているナプキンの寸法は、２４ｃｍ角、３３ｃｍ角、４０ｃｍ角、４８ｃｍ角、５６ｃｍ角、６１ｃｍ角、６９ｃｍ角などである。本実施例のテーブル・ナプキン支持具１０では、小さい寸法の３３ｃｍ角、４０ｃｍ角のナプキンを主に用いる。大きなサイズのナプキン（４８〜６９ｃｍ角）を用いなくても可であり省資源に繋がる。
また、紙エプロンのＳサイズ（３９×５３ｃｍ）、Ｍサイズ（４７×６８ｃｍ）、Ｌサイズ（４７×７５．５）寸法と比べても、テーブル・ナプキン支持具１０で用いるナプキンの方が小さい寸法である。
【００２０】
また、本実施例では、載置手段１１が塀状の外周１３を有するので、転がり易い固形の飲食落下物がこれを越えてこぼれ落ちることを防ぐことができる。
また、受け台１６の表面は飲食落下物と直角に近い角度で交わり、円弧状なので、その上に置かれたナプキン１は、飲食落下物をこぼれ落とさずにほぼ確実に捕集できる。
また、本実施例の載置手段１１を可塑性の網状部材（例えばアルミ針金製）から構成すれば、これを適宜曲げて着用者６の体型に合わせたり、外周を張り出して飲食落下物の捕集効率を高めるよう変形することができる利点がある。
また、載置手段１１上に置かれたナプキン１は、載置手段１１の形状、水平面に対する角度、そして、網状部材との摩擦により、安定して保持されるので、ずれや落下の心配はない。
さらに、載置手段１１が穴のある網状部材から成るので、軽量化に繋がり被介護者や乳幼児への負担を減らすという利点がある。  
【実施例２】
【００２１】
図４は、本発明の実施例２のテーブル・ナプキン支持具を示す斜視図であり、図５は、図４のテーブル・ナプキン支持具の着用状況を示す側面図である。
本実施例のテーブル・ナプキン支持具２０の構成と動作は、実施例１のテーブル・ナプキン支持具１０とほぼ同様であり、以下、実施例１と異なる部分の構成と動作について説明する。
【００２２】
本実施例のテーブル・ナプキン支持具２０は、図５に示すように、着用者６が水平面より６０度に起こしたベッド５に背中を当てて寝た姿勢で用いられる。すなわち背筋角度が垂直より略３０度傾斜した姿勢（背筋角度略３０度傾斜姿勢）で座した着用者が用いるもので、被介護者や乳幼児等に用いることが望ましいものである。
従って、載置手段２１の上方部位に位置する胸当て２５は、図４及び図５に示すように、背筋角度略３０度傾斜姿勢で座した着用者６の胸等に沿う形状に形成している。また、載置手段２１の下方部位に位置する受け台２６は、胸当て２５を下方へ延長し、その延長した先を上方に緩やかな円弧状に曲げ起こして形成している。
この緩やかな円弧状とは、本実施例における受け台２６の円弧の曲率が、実施例１における受け台１６の円弧の曲率より、大きいことを意味している。これは、背筋角度略３０度傾斜姿勢の場合は飲食落下物の散布範囲が狭まり、その載置手段２１の全体寸法が背筋角度垂直姿勢の載置手段１１よりも小さくなるので、平らで緩やかな形状の載置手段２１で飲食落下物の捕集ができるからである。
【００２３】
図５に、着用者６の口を頂点とし、その口下の垂線に対し略３０度の斜線を回転して得られる飲食落下物の散布範囲としての円錐を示している。なお、本実施例の円錐の寸法は、図５に示すように、高さが略１８．３ｃｍ（８〜２３ｃｍ）、底面の径が略２１．１ｃｍ（９〜２８ｃｍ）である。
本実施例の散布範囲が実施例１の散布範囲より狭まるのは、着用者６が寝ると胸等で支えられる載置手段２１が持上げられて、口から載置手段２１（の受け台２６）までの落下距離が短くなるからである。本実施例では、円錐の高さを略１８．３ｃｍとしている。
また、本実施例の載置手段２１では、図５に示すように、載置手段２１の上端Ｐ’から下端Ｑ’までの直線距離は、約２１ｃｍであり、また載置手段の形状に沿った上端Ｐから下端Ｑまでの延べ長さは、約２４ｃｍである。このように、本実施例の載置手段２１の全体寸法は、実施例１の載置手段１１より小さくなる。
【００２４】
なお、寝た姿勢で飲食すると誤飲の虞があるので、身体は寝たままとし首だけを起こした姿勢で飲食する場合がある。図５に点線表示する首を起こした姿勢の場合の円錐寸法は、高さ略１３ｃｍ（８〜１８ｃｍ）、底面の径（図示せず）略１５ｃｍ（１０〜２０ｃｍ）である。この場合、さらに散布範囲が狭まるので、載置手段をより小型化することが可能である。いずれにしても、本実施例の載置手段２１の上に載せるナプキン７は、実施例１のナプキン１より小さい面積で済む。また載置手段２１がより口に近づくことになり飲食落下物の捕集が確実になる利点がある。
【００２５】
以上のように本実施例のテーブル・ナプキン支持具２０では、被介護者や乳幼児等が寝た姿勢で用いた場合にも、飲食落下物が拡散する前にその飲食落下物を捕集することができる。
また、テーブル・ナプキン支持具２０の胸当て２５も受け台２６も、実施例１のテーブル・ナプキン支持具１１に比べて、上端と下端との間の長さが短くなるので、全体として小型になる利点がある。
また、載置手段２１は、全体として実施例１より口に近くなり、載置手段２１の上に置かれるナプキン７による飲食落下物の捕集確率が高まる。
また、胸当て２５と受け台２６の両方の傾斜が緩やかになり、外周２３に沿って飲食落下物の散布範囲の外側にまでも広げて置かれるナプキン７から、飲食落下物が転がり落ちる虞が少なくなる。
【００２６】
ところで、本実施例のテーブル・ナプキン支持具２０は着用者が寝た背筋角度略３０度傾斜姿勢で用いられるものであり、上端Ｐ’から下端Ｑ’までの距離が短い。このテーブル・ナプキン支持具２０を着用者が起きた背筋角度垂直姿勢で用いると、載置手段２１の外周２３の前方（外周２３の一部）が飲食落下物の散布範囲外に出ない（散布範囲の内側に入る）ので、飲食落下物が捕集し切れない場合がある。即ち、テーブル・ナプキン支持具２０を着用者の起きた姿勢と寝た姿勢とで共用することは困難である。
これに対して、前述実施例１のテーブル・ナプキン支持具１０は、上端Ｐから下端Ｑまでの距離が長いので、両姿勢でも載置手段１１の外周１３が飲食落下物の散布範囲の外側に出るので、共用が可能である。従って、載置手段の上端Ｐから下端Ｑまでの直線距離を２５ｃｍ以上とする、または上端Ｐから下端Ｑまでの延べ長さを３３ｃｍ以上とするテーブル・ナプキン支持具の構成が望ましい。
また、寝た姿勢で用いるテーブル・ナプキン支持具２０の載置手段２１の上端Ｐ’から下端Ｑ’までの直線距離や延べ長さを大きくすれば、起きた姿勢にも共用することができる。しかし、直線距離や延べ長さを大きくしただけで、テーブル・ナプキン支持具２０を共用化すると、略水平な角度で展開する載置手段２１の受け台２６が、後述する実施例４〜実施例８に示すように、水平に対して略１５度や略３０度の下向き角度で展開するようになるので、飲食落下物の捕集が不確実なものとなる。従って共用化するためには、例えば受け台の外周（縁）の高さを大きくすること、即ち受け台を深い受け皿のような形状にすることが望ましいと言える。  
【実施例３】
【００２７】
図６は、本発明の実施例３のテーブル・ナプキン支持具を示す斜視図である。
本実施例のテーブル・ナプキン支持具３０は、図６に示すように、飲食落下物の散布範囲を越える外周３３を有してナプキン１を載置する載置手段３１と、着用者の口下にあって上記散布範囲の上部に載置手段３１を係着する係着手段３２とから構成されている。この載置手段３１は、上方中央に凹んだ形状の首当て３４を有して背筋角度垂直姿勢で座した着用者の胸等に沿った形状に形成した胸当て３５と、胸当て３５を下方へ延長しその後上方に円弧状に曲げ起こして形成した受け台３６とから成っている。
そして、載置手段３１が形状保持能力のある液体非浸透部材から成る構成である。例えば合成樹脂の成形材・発泡材、合成樹脂のフィルム材・積層材、ゴム材や布引ゴム材、紙・木材等の圧縮成形材・積層接合材などが該当する。
換言すれば、本実施例のテーブル・ナプキン支持具３０は、実施例１のテーブル・ナプキン支持具１０におけるその可塑性の網状部材を、液体非浸透部材に変えた構成である。従って、本実施例の構成や動作は実施例１とほぼ同一なので、その詳細説明を省略する。
【００２８】
以上のように、本実施例のテーブル・ナプキン支持具３０では、載置手段３１が液体非浸透部材から成るので、液状落下物の浸透による衣服の汚染が防止できる。
また、載置手段３１を重ね置きが可能な形状にすれば、保管場所が狭くて済む利点がある。例えば、記載置手段３１を合成樹脂の成形材とすれば、多量生産で安価に作ることが可能であり、且つ重ね置きもできるので保管・輸送料等の節約になる。
【００２９】
なお、本発明の実施例２によるテーブル・ナプキン支持具において、その載置手段を実施例３と同様に液体非浸透部材から構成することができる。そして、実施例３と同様の効果が得られることは自明であり、図示説明等を省略する。
【００３０】
ここで、図７及び図８を参照して、載置手段と飲食落下物の散布範囲等との形状や寸法の関係について補足説明する。  
図７は、背筋角度垂直姿勢の場合の載置手段と散布範囲等の関係を説明する側面図であり、図８は、背筋角度略３０度傾斜姿勢の場合の載置手段と散布範囲等の関係を説明する側面図である。
図７に示すように、背筋角度垂直姿勢の飲食落下物の散布範囲は、円錐であると仮定し、その円錐の高さＨ（口から下ろした垂線の線分ＢＣ）と、斜辺の垂線に対する角度α（線分ＢＣと線分ＢＤの散布角度α）とから定まる。なお、水平な底面の直径ｄ（線分ＤＥ）は高さＨと角度αから決まる。因みに、実施例１では、高さＨは略２０ｃｍ、散布角度αは略３５°、直径ｄは略２４ｃｍである。
【００３１】
一方、載置手段の胸当て（Ｖ部）の基本形状は、着用者の肩最上部（Ｆ点）から円錐の底面が着用者の胸面と交わる交点（Ｇ点）までの胸等の形状に沿った曲線（線分ＦＧ）の形状から定まる。そして、胸当ての基本寸法は、上記曲線（線分ＦＧ）の延べ長さから定まる。因みに、実施例１の胸当て１５の延べ長さは、約２０ｃｍである。なお、上記Ｆ点は、実施例１で前述した上端Ｐの点と同一であっても可である。
【００３２】
また、受け台（Ｗ部）の基本形状は、円錐の底面（線分ＧＤ）の形状から定まる。すなわち、受け台の基本形状は底面に沿った形状であり、飲食落下物を受けて捕らえるに適した形状とする。そして、受け台の基本寸法は、上記線分ＧＤに散布範囲を越える寸法に相当する線分ＤＪを加えた線分ＧＪの延べ長さから定まる。なお、受け台の先端であるＪ点は、実施例１で前述した下端Ｑに相当し、飲食落下物の散布範囲を越えた位置に設ける点である。
因みに、実施例１の受け台１６の延べ長さは、約１５ｃｍである。なお、実施例１の受け台１６では、その基本形状を底面に沿って略水平な角度で展開する形状とし、その形状に加えて受け台１６に凹みを設けて、飲食落下物の捕集を確実にしている。即ち、胸当て１５を下方へ延長しその延長した先を上方に円弧状に曲げ起こしている。さらに、載置手段１１では、その外周１３（受け台１６の縁）を塀状に立上げた形状とし捕集の確実性を図っている。
なお、受け台１６を略水平な角度で展開する形状に限定するものではなく、後述の実施例４から実施例８のように水平に対して略１５度の下向き角度、または略３０度の下向き角度に展開する形状であっても可である。例えば、外周１３（縁）の塀が高い構成にすれば、下向き角度で展開する形状の受け台であっても、飲食落下物の捕集を確実にすることはできる。
【００３３】
同様に、図８に示すように、背筋角度略３０度傾斜姿勢の飲食落下物の散布範囲は、円錐の高さＨ’と、角度α’とから定まり、底面の直径ｄ’は高さＨ’と角度α’から決まる。因みに、実施例２では、その高さＨ’は略１４．３ｃｍ、散布角度α’は略３５°、直径ｄ’は略２１．１ｃｍである。
一方、載置手段の胸当ての基本形状は、着用者の肩最上部（Ｆ’点）から底面線と胸面線との交点（Ｇ’点）までの胸等の形状に沿った曲線（線分Ｆ’Ｇ’）の形状から定まり、胸当ての基本寸法は、上記線分Ｆ’Ｇ’の延べ長さから定まる。因みに、実施例２の胸当て２５の延べ長さは、約１７．５ｃｍである。なお、Ｆ’点は、実施例２で前述した上端Ｐ’の点と同一であっても可である。
【００３４】
また、受け台の基本形状は、底面の線分Ｇ’Ｄ’の形状から定まる。即ち、受け台の基本形状は、底面に沿って略水平な角度で展開する形状とし、飲食落下物を受けて捕らえるに適した形状とする。なお、前述したように、テーブル・ナプキン支持具を着用者の起きた姿勢と寝た姿勢とで共用するために、受け台を水平に対して略１５度や略３０度の下向き角度で展開する構成にする場合があるので、受け台の基本形状は底面に沿って略水平な角度で展開する形状であるが、これに限定するものではない。
そして、受け台の基本寸法は、上記線分Ｇ’Ｄ’に散布範囲を越える寸法に相当する線分Ｄ’Ｊ’を加えた線分Ｇ’Ｊ’の延べ長さから定まる。なお、受け台の先端であるＪ’点は、実施例２で前述した下端Ｑ’に相当し、飲食落下物の散布範囲を越えた位置に設ける点である。
因みに、実施例２の受け台２６の延べ長さは、約６．５ｃｍである。なお、受け台２６では、胸当て２５の下方をＧ’点で曲げて略水平に形成することを基本形状としている。それに加えて、胸当て２５を下方へ延長し、その延長した先を上方に緩やかな円弧状に曲げ起こして浅い凹みを形成することにより、飲食落下物の捕集を確実なものとしている。
なお、点線図示の首を起こした姿勢についての説明は、上記から容易に理解可能でありその説明を省略する。
【００３５】
ところで、着用者の身体の大きさや着用姿勢などは種々異なり、上記の円錐高さや拡散角度に限定するものではない。例えば、後述する実施例４から実施例８の場合の円錐高さは、１８ｃｍ〜４０ｃｍであり、載置手段の寸法やや大きめとなる。円錐高さが大きくなると、飲食落下物の散布範囲が拡がるからである。
また、拡散角度を、３５度に限定するものではなく、２５度から４５度の範囲の角度に定めることも可である。
また、飲食落下物の散布範囲を円錐として限定するものでもなく、例えば食事の仕方や老人と乳幼児の違いなどにより、変形円錐体、身体の横方向や前方向に歪み拡がった錐体など異なる散布範囲で定められるので、散布範囲を所定の錐体形状に定めて載置手段の形状や寸法を決めることも可である。換言すれば、飲食落下物の軌跡が描く散布範囲の形状を錐体形状であると定めて載置手段の形状や寸法を決めることにより、載置手段上の飲食落下物を確実に捕集できる位置にナプキンを広げることが可能になる。
また、載置手段は飲食落下物の散布範囲の外側を越える外周を有するとは、捕集の確実性に不安は残るが、外周の全てを散布範囲の外側に位置させると限定するものではない。  
【００３６】
以上を纏めると、テーブル・ナプキン支持具は、口から落ちる飲食落下物が描く軌跡から錐体形状と定めたその飲食落下物の散布範囲を越える外周を有してテーブル・ナプキンを載置する載置手段と、着用者の口下にあってその散布範囲の上部に載置手段を係着する係着手段とから成り、載置手段は、背筋角度垂直姿勢、または背筋角度略３０度傾斜姿勢、または背筋角度垂直姿勢から背筋角度略３０度傾斜姿勢までの間の姿勢で座した着用者の胸等に沿う形状に形成した胸当てと、その錐体形状の底面に沿う形状に形成した受け台とから構成する。この構成の実現によって、ナプキンで確実に飲食落下物を捕集することが可能になり、広く・数多く用いられているナプキンの目的が十分に達成させられる。即ち、胸も膝も覆われる・落ちたりずれたりしないなどその使い勝手が大きく向上する。
【実施例４】
【００３７】
以下、本発明の一実施例によるテーブル・ナプキン支持具を図面に基づいて説明する。図９は、本発明の実施例４のテーブル・ナプキン支持具を示す斜視図であり、図１０は、図９に示す保持手段の首廻り輪を調節した場合を説明する斜視図である。  
本実施例のテーブル・ナプキン支持具４０は、可塑性の線材（例えば、アルミ線やメッキ鋼線など）から形成した籠状、箕状または笊状の載置手段４１と、繊維や合成樹脂などの紐・縄・条などから形成し載置手段４１に係合して使用者（すなわち着用者）に当該載置手段４１を保持する保持手段４６とを備え、載置手段４１を身体に当て保持手段４６を首に付けて、載置手段４１を使用者の胸前方に略水平な角度で展開するよう保持手段４６で保持し、使用者の食べこぼし物（すなわち飲食落下物）を捕集するために載置手段４１に載せたナプキン１を略水平な角度で支える構成である。尚、本明細書に記載の略水平な角度とは、水平に対して零度から１０度の範囲の下向き角度を指すものとする。
【００３８】
そして、籠状（すなわち網状）の載置手段４１は、使用者の胸に当てる胸当部４２と、使用者の首形状に合わせ略半円状に凹ませて形成し、使用者の首に当てる首当部４３と、胸当部２及び首当部４３に支えられて使用者の口下の胸前方に展開し、食べこぼし物を捕集するよう拡げられたナプキン１（二点鎖線の仮想線で図示）を載置する編状の受部としての受台部４４と、受台部４４の縁にナプキン１の落下を防ぐために形成した編状の縁部４５とを有して構成されている。
尚、線材を編んだ編状の受台部４４は、その前方向（すなわち長手方向）がスキージャンプ台状に形成され、横方向が扇状に形成されている。また、線材を編んだ編状の縁部４５は、縁から鋭角に立ち上げて２〜３ｃｍ程度の高さに形成されている。
一方、保持手段４６は、使用者の首を回る回部としての紐４７と、二本または二重の紐４７に通した可動具４８とを有して構成されている。
そして、例えば結合部４９において紐４７を縁部４５に結び付けて、載置手段４１と保持手段４６とを係合し、使用者の首に回した保持手段４６によって載置手段４１を略水平な角度で保持する構成となっている。
【００３９】
次に、テーブル・ナプキン支持具４０を使用者に装着する場合について説明する。図１１は、図９のテーブル・ナプキン支持具の装着状態を示す斜視図であり、図１２は、図９のテーブル・ナプキン支持具の装着状態を示す側面図である。
まず、図９において、保持手段４６の可動具４８をＸ矢視方向に移動し、使用者の首を回る紐４７（の一部分）で形成される輪（以下、首回り輪）を大きくする。その大きくした首回り輪を使用者の頭に通し、紐４７を首に掛ける。
次に、図１０において、可動具４８をＹ矢視方向に移動して、紐４７の首廻り輪を小さく絞り、首廻り輪を使用者の首の太さに合わせる。この合わせることによって、換言すれば首廻り輪を調節することによって、保持手段４６で当該載置手段４１を引張り上げて、略水平な角度で当該載置手段４１を保持することになる。
【００４０】
上記動作により、図１１及び図１２に示すように、載置手段４１の胸当部４２が使用者６の胸に当たり、並びに首当部４３が使用者６の首に当たって、当該載置手段４１が支えられるとともに、載置手段４１の受台部４４が、使用者６の口下の胸前方に、略水平な角度で保持される。なお、図１２に示すように、胸当部４２は胸に当たり受台部４４を支える支柱のような構成であり、この支柱の角度や寸法を変えれば、実施例６で後述するような載置手段４１を保持する角度を調節する角度調節手段を備える構成となる。
そして、受台部４４に拡げたナプキン１を略水平な角度で載せて、テーブル・ナプキン支持具４０の装着動作が終了する。
一方、テーブル・ナプキン支持具４０を取り外す動作は、上記の逆動作となる。
【００４１】
尚、図１２に示すように、ナプキン１はスキージャンプ台状の受台部４４の内面形状に倣って載置されるので、拡げられたナプキン１の全体としての形状は、略水平な角度の方向に展開する形状となる。
そして、スキージャンプ台状の受台部４４は、中央より少し前方の部位に凹部４４ａを有する形状であり、この凹部４４ａに倣って拡げられたナプキン１に、捕集した食べこぼし物が溜められる。換言すれば、ナプキン１に凹みを形成させこの凹みに食べこぼし物を溜めることにより捕集を確実にする凹部４４ａを受台部４４に設ける構成であると言える。
一方、首形状に合わせ凹ませた首当部４３が首の根本に当たるので、口下を越して首の付け根の位置までナプキン１を拡げることができ、食べこぼし物の捕集率を高めることができる。さらに、前方のナプキン先端を折り曲げて載置することや、ナプキン先端を縁から少しはみ出して載置することがこぼれ落ち防止のために望ましい。
【００４２】
ところで本実施例４では、載置手段４１が塀状の縁部４５を有するので、ナプキン１が載置手段４１からずり落ちることを防ぐという利点がある。また、ナプキン１上に捕集した食べこぼし物が、載置手段４１を越えて、こぼれ落ちることを防ぐという利点がある。
また、図１２に示すように、載置手段４１の受台部４４は、その前方先端が跳ね上がるようなスキージャンプ台状に形成されているので、転がり落ち易い固形の食べこぼし物をナプキン１で捕集することができるという利点がある。また、スキージャンプ台状は、「美しさ、優しさ、ゆとりのある」自然な曲線から成るので、テーブル・ナプキン支持具４０が目の前に支えられても使用者６に不快感や威圧感を与えない、換言すれば心理的に潤いを感じさせるという利点がある。さらに、受台部４４は、前方が横に広がる扇状に形成されているので、拡がって落ちる食べこぼし物の捕集率が向上するという利点がある。
【００４３】
更にまた、ナプキンを用いて食べこぼし物を捕集することには、次のような利点がある。食べこぼし等の虞が大きい要介護者に対しエプロンを用いると、エプロンが直ぐ汚れるのでその交換や洗濯が頻繁となり手間がかかる。またエプロンは高価であり使い捨て交換は困難である。これに比べてナプキンを用いる場合は、例えば紙ナプキンであれば使い捨て交換ができ、洗濯の手間が省ける。そして、楽しいデザインや彩りの紙ナプキンを用いること、それを毎回交換する・季節で替えることなどによって、要介護者など使用者の気分を明るくすることができる。また、ナプキンの大きさを変えることや撥水性のナプキンを用いることも可能となり、多様な対応ができるという利点がある。  
【００４４】
以上のように、本実施例のテーブル・ナプキン支持具４０では、使用者６の口下の胸前方に展開して略水平な角度で保持された載置手段４１に、ナプキン１を載置することにより、ナプキン１を使用者６の肩の高さ程度で口近くの位置に、略水平な角度で支えるものである。換言すれば、食べこぼし物は口から離れるほど落ちる範囲が拡がるので、拡がる前に食べこぼし物を捕集するために、ナプキン１を略水平な角度で口下の近傍位置に支えるものである。
これによって、食べこぼし物（特に転がり易い固形の食べこぼし物）を確実に捕集するようナプキン１を支えることができるので、ナプキン１による衣類や床の汚れ防止を図ることができる。  
【００４５】
尚、本実施例の載置手段４１が有する胸当部４２は、胸に当たって載置手段４１の保持を安定化する機能のほかに、載置手段４１（すなわち載置手段４１に載置されるナプキン１）を口に近づける機能を有している。
また、本実施例の可動具４８は、紐４７と可動具４８とで生じる摩擦力を利用し自然移動（すなわち自由移動）を防止する構造となっている。また、首回り輪を調節する際に可動具４８が紐４７から抜けることを防止する構造となっている。
そして、紐４７と紐４７に通した可動具４８との組み合わせ構成は、保持手段の首回り輪を調節する首回り輪調節手段に該当する。この首回り輪調節手段には、使用者６の首の太さに合わせることができる、換言すれば使用者６の首が太くても細くても載置手段４１を引張り上げて、所定の角度で載置手段４１を展開保持することができるという利点がある。
【００４６】
また、本実施例では、胸と首に当てて載置手段４１を支える構成としている。この二カ所で支える構成は、後述する実施例の胸や首の一カ所で支える構成に比べて、載置手段４１の保持がより安定化するので望ましい。
ところで、胸と首、首と肩、肩と胸の区分は曖昧であり、載置手段を胸、首または肩の少なくとも一カ所に当てて支える構成であっても良く、本実施例および後述する全ての実施例のテーブル・ナプキン支持具に当て嵌まるものとする。
【００４７】
さらに、本実施例では、載置手段４１を籠状に形成する構成としている。載置手段の籠状（または、箕状、笊状など）の構成（すなわち穴を有する載置手段の構成）は、軽量であり使用者（特に老人や被介護者や障害者）への負担を和らげるので望ましい。また、その可塑性を利用して、装着後に載置手段４１を適度に変形し、使用者の姿勢・体付き・要望などに合わせることができ、ナプキン１による食べこぼし物の捕集確率をより高めるので望ましい。
また、ナプキン１を適度の形に折り曲げて、または適度に切り込みを入れて、載置手段４１に載置することが望ましい。
尚、本実施例４の保持、保持手段という文言は、前述実施例１の係着、係着手段という文言と同じく「載置手段の使用者への装着」に係わる文言であり、両者は同意義である。
【実施例５】
【００４８】
図１３は、本発明の実施例５のテーブル・ナプキン支持具を示す斜視図であり、図１４は、図１３のＺ矢視方向から保持手段を示す拡大斜視図であり、図１５は、図１３のテーブル・ナプキン支持具の装着状態を示す側面図である。
本実施例のテーブル・ナプキン支持具５０は、合成樹脂などの液体非浸透部材から形成した盆状の載置手段５１と、合成樹脂などから形成し載置手段５１に係合する帯状の保持手段５６とを備え、載置手段５１を身体に当て保持手段５６を首に付けて、載置手段５１を使用者の胸前方に水平に対して略１５度の下向き角度で展開するよう保持手段５６で保持し、使用者の食べこぼし物を捕集するために載置手段５１に載せたナプキン１をその略１５度の下向き角度で支える構成である。
尚、本明細書に記載の水平に対して略１５度の下向き角度は、水平に対して１０度から２５度の範囲の下向き角度を指すものとする。また、一体成形する合成樹脂として、例えば、ポリエチレン系・塩化ビニル系などがある。
【００４９】
そして、盆状の載置手段５１は、使用者の胸が当たる胸当部５２（図１５参照）と、略半円状に凹ませて形成した首凹部５３と、胸当部５２に支えられて使用者の口下の胸前方に展開し、食べこぼし物を捕集するナプキン１を載置する受部としての受台部５４と、受台部５４の縁にナプキン１の落下を防ぐために形成した縁部５５とを有して構成されている。
なお、受台部５４には、ナプキン１に凹みを形成させこの凹みに食べこぼし物を溜めることにより捕集を確実にする凹部５４ａを設けている。そして、受台部５４がこの凹部５４ａを有するように、受台部５４を前方に向かってスキージャンプ台状に形成している。また、受台部５４はその横方向を扇状に形成している。更に、縁部５５は縁から鋭角に立ち上げて２〜３ｃｍ程度の高さで形成している。
【００５０】
一方、保持手段５６は、首の右側を回る回部としての右側帯５７と、首の左側を回る回部としての左側帯５８とを有して構成されている。また、図１５に示すように、右側帯５７の先端外側方向に突起５７ａが設けられ、左側帯５８の先端長手方向に穴５８ａ，５８ｂ，５８ｃが設けられている。そして、例えば、突起５７ａを穴５８ｂに挿入して、首の後ろの部位にて右側帯５７と左側帯５８とが接続される構成となっている。
【００５１】
次に、テーブル・ナプキン支持具５０を使用者に装着する場合について説明する。
まず、図１３，図１４において、載置手段５１を使用者の胸前方に垂らし、保持手段５６の右側帯５７と左側帯５８を左右に拡げ、拡げた右側帯５７と左側帯５８を使用者の首に回して付ける。このとき突起が穴に挿入されていれば突起を穴から抜き取る。
次に、使用者の首の太さに合わせて、突起５７ａを穴５８ａ，５８ｂ，５８ｃのいずれかに挿入して、首の後ろで右側帯５７と左側帯５８とを接続する。即ち、首を回る右側帯５７と左側帯５８とで形成される輪（首回り輪）の寸法を、突起５７ａを穴５８ａ，５８ｂ，５８ｃのいずれかに挿入する組み合わせ挿入によって調節する。この突起・穴の組み合わせ挿入構成が首回り輪調節手段に該当する。この首回り輪調節手段に、使用者の首の太さに合わせることができる利点がある。
換言すれば、首回り輪調節手段を設けることによって、使用者の首の太さに応じて載置手段５１を持上げて、水平に対して略１５度の下向き角度で、載置手段５１を展開保持することができると言える。
【００５２】
上記動作により、図１５に示すように、載置手段５１の胸当部５２が使用者６の胸に当たり、当該載置手段５１が支えられるとともに、載置手段５１が使用者６の口下の胸前方に保持される。そして、載置手段５１の受台部５４に拡げたナプキン１を載せて、テーブル・ナプキン支持具５０の装着動作が終了する。
尚、載置手段５１が水平に対して略１５度の下向き角度で展開するという構成は、具体的には、図１５に示すように、スキージャンプ台状の受台部５４全体が水平に対して略１５度の下向き角度で展開する構成である。また、図１５に破線で示すように、同様にナプキン１も受台部５４内面に沿ってスキージャンプ台状に拡げられ、ナプキン１全体としては、水平に対して略１５度下方向に展開し載置されている。
また、本実施例においても、前方先端に向かって跳ね上がるようなスキージャンプ台状の受台部５４が、ナプキン１のずり落ちを防ぐとともに、転がり落ち易い固形の食べこぼし物をナプキン１で捕集する。また、縁部５５が、ナプキン１のずり落ちを防ぐとともに、捕集した食べこぼし物のこぼれ落ちを防止する。
一方、テーブル・ナプキン支持具４０を取り外す動作は、上記の逆動作となる。
【００５３】
以上のように本実施例のテーブル・ナプキン支持具５０では、保持手段５６に保持されて、載置手段５１が水平に対して略１５度の下向き角度で使用者６の口下の胸前方に展開し、載置手段５１に載せられたナプキン１が水平に対して略１５度の下向き角度で口下の近傍位置に支えられることになり、ナプキン１による食べこぼし物の捕集が確実に行われ、衣類の汚れを防止する共に、床などの汚れを防止することができる。
【００５４】
ところで、本実施例のテーブル・ナプキン支持具５０は、図１５に示すように、首凹部５３が使用者６の首に当接しない、胸の一カ所で載置手段を支える構成である。しかし、前述の実施例４のように、首凹部５３を首にも当てる胸・首の二カ所で載置手段を支える構成であっても可である。このような胸・首二カ所支え構成のテーブル・ナプキン支持具であれば、載置手段の保持がより安定にすること、テーブル・ナプキン支持具と首の隙間からの食べこぼし物の落ちこぼれを確実に防止すること、などの利点がある。
また、合成樹脂製であるので、テーブル・ナプキン支持具５０を明るい・楽しい色やデザインのものにすることが可能となり、使用者６の気分転換に役立てることができるという利点がある。
【００５５】
更に、本実施例では、テーブル・ナプキン支持具５０を、使用者の口下に水平に対して略１５度の下向き角度で展開保持する構成としている。このような、テーブル・ナプキン支持具５０を口下に略１５度下向きに保持する構成であれば、使用者の口と受台部５４との空間が広がるので、使用者は食事し易いという利点があり、また被介護者へ食事を与える場合に介護者は給仕し易いという利点がある。
【００５６】
尚、本実施例のテーブル・ナプキン支持具５０は、実施例４のテーブル・ナプキン支持具４０と同様に、胸前方に略水平な角度で展開する構成であっても可である。
また、テーブル・ナプキン支持具５０を１０度から４０度の範囲のいずれかの下向き角度で展開するテーブル・ナプキン支持具にて製作することも可である。ただし、下向き角度が４０度を超えて展開するテーブル・ナプキン支持具は、食べこぼし物を確実に捕集することが困難となるので避けることが望ましい。また、使用者の身体の大きさに対応して、Ｌサイズ・Ｍサイズ・Ｓサイズのテーブル・ナプキン支持具を製作することも可である。  
【実施例６】
【００５７】
図１６は、本発明の実施例６のテーブル・ナプキン支持具を示す斜視図であり、図１７は、図１５のテーブル・ナプキン支持具の装着状態を示す側面図である。
本実施例のテーブル・ナプキン支持具６０は、載置手段６１と保持手段６６とを備え、載置手段６１と保持手段６６とを係合して、保持手段６６で載置手段６１を使用者６の口下の胸前方に略水平な角度で保持する構成である。
上記の載置手段６１は、胸に当接する胸当部６２と、略半円状に凹ませて形成し首に当接する首当部６３と、胸当部６２や首当部６３に支えられ、拡げたナプキン１（図示省略）を載せるため使用者６の口下の胸前方に展開する受部としての受台部６４と、受台部６４の縁にナプキン１の落下を防ぐために設けた塀状の縁部６５とから構成される。尚、本実施例、実施例４や実施例５においては、ナプキンの落下防止に縁部を設ける構成であるが、この縁構成以外に、磁石やクリップ等を利用してナプキン落下防止を図る構成（図示せず）でも可である。
【００５８】
尚、首当部６３のみが首に当接するとは限らず、首当部６３近傍の受台部６４や縁部６５の一部が首や肩に当接する場合があり、上記の首当部６３は、首や肩に当接する受台部６４や縁部６５も含むものとする。
また、本実施例の受台部６４は、前述の受台部５４よりも緩やかな曲線で、凹部（図示せず）を有するスキージャンプ台状に形成されている。そして、縁部６５は縁から鋭角に立ち上がり２〜３ｃｍ程度の高さに形成されている。
【００５９】
一方、保持手段６６は、首に回す回部としての紐６７と、紐６７を通した可動具６８と、紐６７の中間に設けた防抜具６９とから構成される。この防抜具６９は、可動具６８を（図１６，図９のＸ矢視方向に）移動して首回り輪を大きくするとき、可動具６８が紐６７から抜けることを防止する手段である。また、防抜具６９は、可動具６８を（図１６，図１０のＹ矢視方向に）移動して首回り輪を小さくするとき、紐６７を引っ張るための摘み手段でもある。なお、紐６７を引っ張る防抜具６９の部位は首の横でも可であり、横であれば取り扱いが良いと言える。
そして、載置手段６１の縁部６５に開けた穴６５ａに紐６７を結び付けて、載置手段６１と保持手段６６とを係合する構成である。
尚、紐６７の端に接続したフック（図示しない）を穴６５ａに掛けて載置手段６１と保持手段６６とを係合する構成（図示しない）であっても良い。
【００６０】
本実施例のテーブル・ナプキン支持具６０の装着動作は、実施例４及び実施例５のテーブル・ナプキン支持具と同様であり、その説明を省略する。
以上のように、本実施例のテーブル・ナプキン支持具６０によって、拡げたナプキン１を使用者６の胸前方に略水平な角度で、且つ使用者６の口に近い位置に支えることができる。これにより、ナプキン１による食べこぼし物の捕集が確実に行われ、衣類や床などの汚れを防止することができる。
【００６１】
ところで、本実施例のテーブル・ナプキン支持具６０においては、身体への当たり方を変えて載置手段６１の胸前方に展開保持される角度を調節する角度調節手段を設けている。この構成と動作について説明する。
図１８は、図１６に示す胸当部の角度を調節した場合を説明する側面図であり、図１９は、図１６のテーブル・ナプキン支持具をベッドに寝ている使用者６に装着した状態を示す側面図である。
本実施例の角度調節手段は、載置手段６１の縁部６５に回転自在に係合した胸当部６２から構成されている。この回転自在な胸当部６２の構成は、例えば締まりのある回転機構からなる。具体的には、回転摺動する胸当部６２と縁部６５との間に波形スプリング・ワッシャーやゴム座を挿入して、その摩擦力を利用して、所定以上の力を掛けないと胸当部６２が回転しない程度の弱い抵抗のある回転機構である。また、ラッチを設けて段階的に停止可能な回転機構であっても良い。
【００６２】
そして、図１８に示すＳ矢視方向に、載置手段６１の縁部６５や受台部６４を押して下方向に回すと、例えば水平に対して略３０度の下向き角度に、載置手段６１を保持することができる。
即ち、使用者６の姿勢・体付き・要望などに合わせて、載置手段６１の胸前方に展開保持される角度を適切に調節することにより、食べこぼし物の捕集を確実にすることができる。
また、胸当部６２を押え、受台部６４を持上げれば、載置手段６１を上向きに変えて、図１７に示すように元に戻し、略水平な角度で展開することができる。
換言すれば、使用者自身の食べ易い状態に、また被介護者に対する介護者の給仕し易い状態に、載置手段６１の角度を調節することができ、テーブル・ナプキン支持具が使い勝手の良いものとなる。尚、胸当部６２を回転し載置手段６１の角度を調節すると胸当部６２の胸に当たる位置が変わる、即ち身体への当たり方が変わることになる。
【００６３】
尚、図１８に示すように、載置手段６１を下向き角度で保持する場合は、首当部６３の首に当てる位置や紐６７の首に巻く位置を上方に移動すると、載置手段６１が使用者６の口により近い位置に保持されるので、食べこぼし物をより確実に捕集することができるので望ましい。また、紐６７の首に巻く位置を移動する場合に、可動具６８からなる首回り輪調節手段が有効に機能すると言える。
【００６４】
特に、図１９に示すように、本実施例のテーブル・ナプキン支持具６０は、ベッド５に寝ている使用者６が食事をするときに便利である。
ベッド５に寝ている使用者６が食事をするとき、必ずしもベッド５から完全に起きあがり背中を垂直にして座した姿勢（すなわち背筋角度垂直姿勢）で食事をするとは限らず、ベッド５を水平に対して略６０度の角度に起こした状態で寝た姿勢（すなわち背筋角度略３０度傾斜姿勢）で食事をする場合がある。
この場合、載置手段６１の角度を下方向（図１９のＴ矢視方向）に調節して、載置手段６１を水平にまたは所定の下向き角度に展開保持することができる。角度調節手段を設けていないテーブル・ナプキン支持具であれば、載置手段６１が跳ね上がった状態となり、寝た姿勢で食べこぼし物を捕集することは困難である。
【００６５】
上記のように角度調節手段の調節により、使用者６がベッド５に寝ている姿勢であっても、ナプキン１による食べこぼし物の捕集確率を高めることができる。
ところで、角度調節手段により載置手段の角度を調節することは、食べこぼし物（飲食落下物）を確実に捕集するよう、載置手段（即ちナプキン）を食べこぼし物の散布範囲外（前述実施例１から実施例３にて記述した場所）に位置させることであり、且つ捕獲した食べこぼし物が更に転がり落ちないよう、載置手段（即ちナプキン）を略水平な角度等に支えることである。
【００６６】
尚、本実施例の角度調節手段を前述実施例１から実施例３の構成に備えることが可であり、角度調節手段を備えて載置手段の角度を調節し、載置手段の外周を飲食落下物の散布範囲の外側に配する。それによりナプキンを飲食落下物の散布範囲を越えて広げること・ナプキン上に捕集した飲食落下物が更に落下しない角度にすることができるので、使用者６の姿勢に応じて飲食落下物を確実に捕集することが可能になる。
この場合、本実施例の載置手段の胸前方に展開保持される角度の内容は、前述実施例１から実施例３における載置手段の口下近傍に係着される角度と同じ内容であり、請求項６では着用者に載置手段を装着する角度として統一表現する。
また、載置手段６１を合成樹脂から成形する場合、例えば、メラニン樹脂・ＡＢＳ樹脂などがある。このような樹脂製であれば、載置手段６１をいろいろな色やデザインで作ること、また綺麗で楽しい模様をプリントすることが可能であり、多様なニーズに応えることができる。
【実施例７】
【００６７】
図２０は、本発明の実施例７のテーブル・ナプキン支持具を示す斜視図であり、図２１は、図２０のテーブル・ナプキン支持具を装着状態で示す側面図である。
本実施例のテーブル・ナプキン支持具の構成と動作は、実施例５のテーブル・ナプキン支持具とほぼ同様であり、以下、実施例５と異なる構成と動作について説明する。
【００６８】
本実施例のテーブル・ナプキン支持具７０は、合成樹脂や再生紙などから形成した器状（深皿状）の載置手段７１と、合成樹脂や再生紙などから形成し載置手段７１に係合する帯状の保持手段７６とを備え、載置手段７１を身体に当て保持手段７６を首に回して付け、載置手段７１を使用者６の胸前方に、水平に対して略３０度の下向き角度で展開するよう保持手段７６で保持し、使用者６の食べこぼし物を捕集するために載置手段７１に載せたナプキン１をその略３０度の下向き角度で支える構成である。尚、合成樹脂として、例えば、ポリプロピレン・ポリアミド系などがある。また、本明細書に記載の水平に対して略３０度の下向き角度は、水平に対して２５度から３５度の範囲の下向き角度を指すものとする。
【００６９】
上記の載置手段７１は、使用者６の胸が当たる胸当部７２と、使用者６の首形状に合わせ略半円状に凹ませて形成した首凹部７３と、胸当部７２に支えられ、ナプキン１（図示せず）が載せられるよう使用者６の口下の胸前方に、水平に対して略３０度の下向き角度で展開する受部としての受け皿７４とを有している。
尚、受け皿７４が水平に対して略３０度の下向き角度で展開するという構成は、具体的には、図２１に示すように、受け皿７４の上縁７４ａが水平に対して略３０度の下向き角度で展開する構成である。
また、受け皿７４は、長円や楕円の略半球状の器（深皿）として形成されているので、ナプキン１の落下を防ぐ縁部と、食べこぼし物のこぼれ落ちを防ぐ凹部とを有している構成であると言える。
【００７０】
一方、保持手段７６は、首の右側に回される回部としての右側帯７７と、首の左側に回される回部としての左側帯７８とを有している。これらの右側帯７７及び左側帯７８は、首の後部が当たる部位にて分離している。この本実施例の保持手段７６の分離構成には、実施例５の保持手段５６の突起・穴の挿入構成と比べて、テーブル・ナプキン支持具が装着し易いという利点がある。
そして、図２１に示すように、胸に接する胸当部７２の形状や、首や肩に接する右側帯７７及び左側帯７８の下縁７７ａ，７８ａの形状は、胸、首、肩などの線に倣った形状に形成することが望ましい。これは、テーブル・ナプキン支持具７０の載置手段７１を、水平に対して略３０度の下向き角度で、使用者６の胸前方に確実に固持するためである。
【００７１】
上記テーブル・ナプキン支持具７０を使用者６に装着する場合は、次のとおりである。
保持手段７６の弾力性を利用して、右側帯７７及び左側帯７８を左右に開き、それぞれを首に巻き付けて閉じる。そして、胸当部７２を胸に当て受け皿７４を支えて、テーブル・ナプキン支持具７０を使用者６の口下の胸前方に、図２１に示すように、水平に対し略３０度の垂れ下がった状態で保持する。そして、テーブル・ナプキン支持具７０にナプキン１（破線で図示）を水平に対して略３０度下方向に載置して、装着動作を終了する。
尚、図２１に破線で示すように、ナプキン１は受け皿７４内面に沿って略半球状に拡げられているが、ナプキン１全体としては、水平に対して略３０度下方向に拡げられて載置されている。
【００７２】
以上のように、本実施例のテーブル・ナプキン支持具７０によれば、ナプキン１を使用者の胸前方に拡げて水平に対して略３０度下方向の口下の近傍位置に支えることができる。これにより、食べこぼし物をナプキン１で確実に捕集することが可能になり、ナプキン１による衣類や床などの汚れ防止を図ることができる。
尚、載置手段７１が器状であるので、使用者が少しくらい動いても、また上体を傾けたりしても、食べこぼし物を確実に捕集することができる。
また、ナプキン１を水平に対して略３０度下方向に載置するので、略３０度の角度でベッドに寝た姿勢で使用しても、テーブル・ナプキン支持具７０が略水平になる。即ち、本実施例のテーブル・ナプキン支持具７０であれば、載置手段７１の展開保持角度の調節を行わずに、ベッドで起きた姿勢とベッドに寝た姿勢の両方で、ナプキン１による食べこぼし物の捕集が確実に行われる利点が得られる。
【００７３】
ところで、水平に対して略３０度の下向き角度で保持する理由は、（１）口（くち）とテーブル・ナプキン支持具との間の空間が適度に広がり、使用者は食事し易い、（２）被介護者へ食事を与える場合に介護者が給仕し易い、（３）実施例６のように角度調節を行わなくても、ベッドで垂直に起きた姿勢と略３０度の角度で寝た姿勢との両方に用いられるからである。
尚、略３０度より小さい角度は、尻や腰に負担が掛かり寝かせた効果が得られない。逆に略３０度より大きい角度は、寝かせ過ぎとなり誤飲の虞があるので、略３０度が望ましい。
【実施例８】
【００７４】
図２２は、本発明の実施例８のテーブル・ナプキン支持具を示す斜視図であり、  図２３は、図２２のテーブル・ナプキン支持具を装着状態で示す斜視図である。
本実施例のテーブル・ナプキン支持具８０は、合成樹脂などから形成した載置手段８１と、繊維や合成樹脂などの紐・縄・条などから形成した保持手段８６とを備え、保持手段８６を使用者６の首に巻き付けるとともに載置手段８１に接続して、当該載置手段８１を保持手段８６によって使用者６の口下の胸前方に保持する構成である。載置手段８１の合成樹脂として、例えば、メラニン樹脂・ポリカーボネート樹脂などがある。
【００７５】
そして、載置手段８１は、使用者６の首の付け根形状に合わせ略半円状に凹ませて形成し、首（含む肩）に当接する首当部８３と、この首当部８３に支えられ、拡げたナプキン１（図示せず）を載せるよう、使用者６の口下の胸前方に略水平な角度で展開する受部としての受台部８４と、受台部８４の縁に設けた塀状の縁部８５とを有している。
【００７６】
一方、保持手段８６は、首を右から左に回る回部としての右側紐８７と、右側紐８７に所定間隔で固定した複数個の固定具８８と、首を左から右に回る回部としての左側紐８９と、左側紐８９に固定した複数個の固定具９０とを有している。
そして、右側紐８７の一方端を、縁部８５に開けた穴８５ａに例えば結び付け、右側紐８７の他方端に固定した固定具８８を、縁部８５に開けた溝穴８５ｃに引っ掛ける。且つ、左側紐８９の一方端を穴８５ｂに結び付け、左側紐８９の他方端の固定具９０を溝穴８５ｄに引っ掛けて、載置手段８１と保持手段８６とを係合する。この係合によって、保持手段８６で載置手段８１を使用者６の口下に保持する構成となっている。
【００７７】
次に、テーブル・ナプキン支持具８０を使用者に装着する場合について説明する。
まず、図２２の二点鎖線で示すように、保持手段８６の右側紐８７を伸ばし、それを使用者６の首の右後ろから回して左前に持って来る。そして、右側紐８７を縁部８５の左前方の溝穴８５ｃに通し、固定具８８をその溝穴８５ｃに引っ掛ける。同様に、左側紐８９を伸ばし首の左後ろから回して右前に持って来て、右前方の溝穴８５ｄに左側紐８９を通して固定具９０を引っ掛ける。このとき、右側紐８７と左側紐８９とを首の後ろで交叉させる。なお、交叉する首の後ろに当てて両紐を支持する別体の紐支持具（図示せず）を設けても可である。
尚、交叉させることにより保持手段８６の保持の安定化を図る。また溝穴８５の溝幅を、紐８７，８９を通すが固定具９０を通さない寸法にしている。
【００７８】
上記動作により、図２３に示すように、載置手段８１の首当部８３が使用者６の首や肩に当接して、載置手段８１が支えられるとともに、保持手段８６の右側紐８７及び左側紐８９によって載置手段８１の受台部８４が使用者６の口下の胸前方に保持される。そして、受台部８４に拡げたナプキン１を載せて、テーブル・ナプキン支持具８０の装着動作が終了する。
一方、テーブル・ナプキン支持具８０を取り外す動作は、上記の逆動作となる。
【００７９】
以上のように、本実施例のテーブル・ナプキン支持具８０では、保持手段８６により使用者の口下の胸前方に展開保持した載置手段８１上に、拡げたナプキン１を略水平な角度で口下の近傍位置に支えることができる。これによって、ナプキン１による食べこぼし物の捕集が確実に行われ、衣類の汚れを防止するとともに、床などの汚れを防止することができる。
【００８０】
ところで、本実施例では、図２３の拡大図に示すように、左側紐８９の固定具９０ｂを右前方の溝穴８５ｄに引っ掛けている。ここで、固定具９０ｂではなく固定具９０ａを溝穴８５ｄに引っ掛ければ、受台部８４を保持する左側紐８９の全長は短くなる。また、固定具９０ｃを溝穴８５ｄに引っ掛ければ、左側紐８９の全長は長くなる。
言い換えれば、溝穴に引っ掛ける固定具を変えることによって紐の長さを調節することができ、首廻り輪の寸法を使用者の首の太さに合わせることができる。この本実施例の固定具・溝穴の組み合わせ引っ掛け構成が、使用者の首を回る保持手段で形成される首回り輪を調節する首回り輪調節手段に該当する。
【００８１】
一方、固定具と溝穴の所定の組み合わせで紐全長を調節し、載置手段８１を略水平な角度で展開保持した後に、固定具と溝穴の組み合わせを変えて、紐全長を長くすると、載置手段８１が首当部８３（の当接部位）を支点にして回転し垂れ下がる。即ち、載置手段８１を水平に対して略１５度や略３０度の下向き角度で保持することが可能になる。従って、この本実施例の固定具・溝穴の組み合わせ引っ掛け構成は、身体に当たる関わりを変えて載置手段の胸前方に展開保持される角度を調節する角度調節手段にも該当する。
尚、紐全長を変えて保持角度を調節すると首当部８３の首に当たる角度が変わる、即ち身体に当たる関わりが変わることになる。
また、本実施例の載置手段８１の受台部８４は平板な形状であり、このような受台部８４の保持される角度を調節する場合は、縁部８５の高さを３〜５ｃｍ程度に大きくすること、また実施例５と同様に載置手段８１に凹部（図示せず）を設けることにより、食べこぼし物のこぼれ落ちを防止する構成にすることが望ましい。
【産業上の利用可能性】
【００８２】
本発明にかかるテーブル・ナプキン支持具で、ナプキンによって飲食落下物を確実に捕集し衣類や床の汚れ防止を図ることができ、障害者や要介護者用の食べこぼし受け具等として有用である。
【図面の簡単な説明】
【００８３】
【図１】本発明の実施例１のテーブル・ナプキン支持具を示す斜視図
【図２】図１のテーブル・ナプキン支持具の装着状態を示す斜視図
【図３】図２のテーブル・ナプキン支持具の着用状況を示す側面図
【図４】本発明の実施例２のテーブル・ナプキン支持具を示す斜視図
【図５】図４のテーブル・ナプキン支持具の着用状況を示す側面図
【図６】本発明の実施例３のテーブル・ナプキン支持具を示す斜視図
【図７】背筋角度垂直姿勢の場合の載置手段と散布範囲等の関係を説明する側面図
【図８】背筋角度略３０度傾斜姿勢の場合の載置手段と散布範囲等の関係を説明する側面図
【図９】本発明の実施例４のテーブル・ナプキン支持具を示す斜視図
【図１０】図９に示す保持手段の首廻り輪を調節した場合を説明する斜視図
【図１１】図９のテーブル・ナプキン支持具の装着状態を示す斜視図
【図１２】図９のテーブル・ナプキン支持具の装着状態を示す側面図
【図１３】本発明の実施例５のテーブル・ナプキン支持具を示す斜視図
【図１４】図１３のＺ矢視方向から保持手段を示す拡大斜視図
【図１５】図１３のテーブル・ナプキン支持具の装着状態を示す側面図
【図１６】本発明の実施例６のテーブル・ナプキン支持具を示す斜視図
【図１７】図１６のテーブル・ナプキン支持具の装着状態を示す側面図
【図１８】図１６に示す胸当部の角度を調節した場合を説明する側面図
【図１９】図１６のテーブル・ナプキン支持具をベッドに寝ている使用者に装着した状態を示す側面図
【図２０】本発明の実施例７のテーブル・ナプキン支持具を示す斜視図
【図２１】図２０のテーブル・ナプキン支持具を装着状態で示す側面図
【図２２】本発明の実施例８のテーブル・ナプキン支持具を示す斜視図
【図２３】図２２のテーブル・ナプキン支持具を装着状態で示す斜視図
【図２４】従来の衣類の汚れ防止用ホルダーの使用例の斜視図
【符号の説明】
【００８４】
１，７                          ナプキン
５                              ベッド  
６                              着用者（使用者）
１０，２０，３０                  テーブル・ナプキン支持具
１１，２１，３１                  載置手段
１２，２２，３２                  係着手段
１３，２３，３３                  外周
１４，２４，３４                  首当て
１５，２５，３５                  胸当て
１６，２６，３６                  受け台
４０，５０，６０，７０，８０      テーブル・ナプキン支持具
４１，５１，６１，７１，８１      載置手段
４２，５２，６２，７２            胸当部
４３，６３，８３                  首当部
４４，５４，６４，８４            受台部
４４ａ，５４ａ                    凹部
４５，５５，６５                  縁部
４６，５６，６６，７６，８６      保持手段
４７，６７                        紐
４８，６８                        可動具
４９                              結合部
５３，７３                        首凹部        
５７，７７                        右側帯
５７ａ                            突起
５８，７８                        左側帯
５８ａ，５８ｂ，５８ｃ，６５ａ    穴
６９                              防抜具
７４                              受け皿
７４ａ                            上縁
７７ａ，７８ａ                    下縁
８５                              縁部
８５ａ，８５ｂ                    穴
８５ｃ，８５ｄ                    溝穴
８７                              右側紐
８８，９０                        固定具
８９                              左側紐
９０ａ，９０ｂ，９０ｃ            固定具                  
【図１】
2009100908.tif 000003
【図２】
2009100908.tif 000004
【図３】
2009100908.tif 000005
【図４】
2009100908.tif 000006
【図５】
2009100908.tif 000007
【図６】
2009100908.tif 000008
【図７】
2009100908.tif 000009
【図８】
2009100908.tif 000010
【図９】
2009100908.tif 000011
【図１０】
2009100908.tif 000012
【図１１】
2009100908.tif 000013
【図１２】
2009100908.tif 000014
【図１３】
2009100908.tif 000015
【図１４】
2009100908.tif 000016
【図１５】
2009100908.tif 000017
【図１６】
2009100908.tif 000018
【図１７】
2009100908.tif 000019
【図１８】
2009100908.tif 000020
【図１９】
2009100908.tif 000021
【図２０】
2009100908.tif 000022
【図２１】
2009100908.tif 000023
【図２２】
2009100908.tif 000024
【図２３】
2009100908.tif 000025
【図２４】
2009100908.tif 000026